(57)【特許請求の範囲】
【請求項１】
ナビゲーション装置における設定項目に対する設定情報と、前記設定情報を区別するための設定パターンを示すパターン情報とをユーザから受け付ける設定受付部と、
前記受け付けられた設定情報を前記パターン情報と対応づけて記憶する設定記憶部と、
前記設定記憶部を参照し、ユーザによって選択された設定パターンに応じた前記設定情報を前記ナビゲーション装置に送信する設定送信部と、
を備える携帯端末。
【請求項２】
請求項１に記載の携帯端末であって、
前記ナビゲーション装置の機種に応じた設定項目をサーバから取得する設定項目取得部をさらに備え、
前記設定受付部は、前記取得された設定項目に対する設定情報を受け付ける、
携帯端末。
【請求項３】
請求項１または２に記載の携帯端末であって、
携帯端末においてナビゲーションを行うための携帯ナビゲーション部と、
前記携帯ナビゲーション部における設定項目に対する携帯設定情報を携帯設定記憶部から取得する携帯設定取得部と、
をさらに備え、
前記設定受付部は、前記携帯設定情報に基づいて、前記設定項目の少なくとも一部に対する設定情報を生成する、
携帯端末。
【請求項４】
請求項３に記載の携帯端末であって、
前記設定受付部は、前記ナビゲーション装置における設定項目のうち、前記携帯ナビゲーション部における設定項目と共通する設定項目に対する設定情報を、前記携帯設定情報に基づいて生成する、
携帯端末。
【請求項５】
請求項２に記載の携帯端末であって、
前記設定項目取得部は、前記機種を示す情報をユーザから受け付ける、
携帯端末。
【請求項６】
請求項２に記載の携帯端末であって、
前記設定項目取得部は、前記機種を示す情報を前記ナビゲーション装置から取得する、
携帯端末。
【請求項７】
請求項１〜６の何れか一項に記載の携帯端末であって、
前記設定情報を前記ナビゲーション装置から受信して前記設定記憶部に記憶する設定受信部をさらに備え、
前記設定受付部は、前記設定記憶部に記憶されている設定情報を変更するための設定情報をユーザから受け付ける、
携帯端末。
【請求項８】
請求項１〜７の何れか一項に記載の携帯端末であって、
ユーザの複数の訪問先に関する情報を含むスケジュール情報を取得するスケジュール取得部をさらに備え、
前記設定受付部は、前記スケジュール情報に基づいて、前記複数の訪問先のそれぞれを経由地または目的地として選択するためのユーザ入力を受け付け、当該ユーザ入力により選択された経由地または目的地を示す設定情報を生成する、
携帯端末。
【請求項９】
請求項８に記載の携帯端末であって、
前記設定受付部は、前記経由地が複数存在する場合、各経由地の順番を指定するユーザ入力を受け付け、当該ユーザ入力により指定された順番で前記経由地が指定された前記設定情報を生成する、
携帯端末。
【請求項１０】
請求項８又は９に記載の携帯端末であって、
前記設定受付部は、前記複数の訪問先のそれぞれを経由地または目的地として選択するための前記ユーザ入力を受け付けるために、前記スケジュール情報に基づいて、前記複数の訪問先のそれぞれの訪問時刻を表示する、
携帯端末。
【請求項１１】
携帯端末に、
ナビゲーション装置における設定項目に対する設定情報と、前記設定情報を区別するための設定パターンを示すパターン情報とをユーザから受け付ける設定受付部と、
前記受け付けられた設定情報を前記パターン情報と対応づけて記憶する設定記憶部と、
前記設定記憶部を参照し、ユーザによって選択された設定パターンに応じた前記設定情報を前記ナビゲーション装置に送信する設定送信部と、
を実現させるためのプログラム。
【発明の詳細な説明】
【技術分野】
【０００１】
本発明は、携帯端末に関する。
【背景技術】
【０００２】
車両にナビゲーション装置が搭載されることは一般的となっている。このようなナビゲーション装置では、表示態様やお気に入り地点等の各種設定が可能である場合が多い。ナビゲーション装置の設定はユーザによって異なるため、自家用車やレンタカー、営業車両など、複数のユーザによって車両が共用される場合には、ユーザごとに設定を変更する必要がある。そこで、例えば、特許文献１には、設定情報をユーザの識別情報と対応づけてメモリに記憶したり、設定情報をメモリカード等の可搬型の記憶媒体に記憶したりしておくことにより、ユーザがナビゲーション装置を利用する際に当該ユーザ用の設定に切り替えることが可能なナビゲーション装置が開示されている。
【先行技術文献】
【特許文献】
【０００３】
【特許文献１】特開平１０−２６５３８号公報
【発明の概要】
【発明が解決しようとする課題】
【０００４】
しかしながら、特許文献１に開示されているナビゲーション装置では、ナビゲーション装置の設定をユーザごとに切り替えることは可能であるものの、ナビゲーション装置の設定は、各ユーザがナビゲーション装置において行う必要がある。
【０００５】
本発明はこのような事情に鑑みてなされたものであり、ナビゲーション装置の設定をユーザごとに容易に変更可能とすることを目的とする。
【課題を解決するための手段】
【０００６】
本発明の一側面に係る携帯端末は、ナビゲーション装置における設定項目に対する設定情報をユーザから受け付ける設定受付部と、受け付けられた設定情報を記憶する設定記憶部と、設定記憶部に記憶されている設定情報をナビゲーション装置に送信する設定送信部と、を備える。
【０００７】
なお、本発明において、「部」とは、単に物理的手段を意味するものではなく、その「部」が有する機能をソフトウェアによって実現する場合も含む。また、１つの「部」や装置が有する機能が２つ以上の物理的手段や装置により実現されても、２つ以上の「部」や装置の機能が１つの物理的手段や装置により実現されてもよい。
【発明の効果】
【０００８】
本発明によれば、ナビゲーション装置の設定をユーザごとに容易に変更することが可能となる。
【図面の簡単な説明】
【０００９】
【図１】本発明の一実施形態である情報処理システムの構成を示す図である。
【図２】設定情報の登録や送信に関連する各種処理を起動するためのメニュー画面の一例を示す図である。
【図３】設定情報を登録するための設定登録画面の一例を示す図である。
【図４】スケジュール情報を設定情報に連携させるためのスケジュール連携画面の一例を示す図である。
【図５】ナビゲーション装置の設定を、携帯端末の携帯ナビゲーション部における設定に連携させるための携帯ナビ連携画面の一例を示す図である。
【図６】設定情報をナビゲーション装置に送信するための設定送信画面の一例を示す図である。
【図７】未設定の設定項目を登録するための未設定登録画面の一例を示す図である。
【図８】設定情報の登録・送信処理の一例を示すフローチャートである。
【発明を実施するための形態】
【００１０】
以下、図面を参照して本発明の一実施形態について説明する。図１は、本発明の一実施形態である情報処理システムの構成を示す図である。情報処理システムは、ナビゲーション装置１０、携帯端末２０、及びナビゲーションサーバ３０を含んで構成されている。
【００１１】
ナビゲーション装置１０は、ユーザに対して経路や施設に関する情報を提供する情報処理装置であり、複数のユーザによって共用される。例えば、ナビゲーション装置１０は、車両に搭載されるカーナビゲーション装置である。図１に示すように、ナビゲーション装置１０は、操作部４０、表示部４２、ナビゲーション部４４、設定受付部４６、設定記憶部４８、及び通信部５０を含んで構成される。ナビゲーション装置１０を構成する各部は、メモリやハードディスク等の記憶領域を用いたり、記憶領域に記憶されているプログラムをプロセッサが実行したり、その他各種デバイスを用いたりすることにより実現することができる。
【００１２】
操作部４０は、ナビゲーション装置１０においてナビゲーションを利用するための各種操作を受け付けるものであり、例えば、操作ボタンやタッチパネル、音声認識デバイス等により実現される。
【００１３】
表示部４２は、経路情報や施設情報等のナビゲーションに関する各種ナビゲーション情報を表示するものであり、例えば、液晶ディスプレイやプロジェクター等により実現される。
【００１４】
ナビゲーション部４４は、経路情報や施設情報等のナビゲーション情報を表示部４２を介してユーザに提示するものである。また、ナビゲーション部４４は、ＧＰＳ（Ｇｌｏｂａｌ  Ｐｏｓｉｔｉｏｎｉｎｇ  Ｓｙｓｔｅｍ）ユニットや加速度センサ、自立航法ユニット等の現在位置測定ユニットを備えることができる。なお、ナビゲーション部４４は、設定記憶部４８に記憶されている設定情報に基づいて、ナビゲーション処理を実行することができる。
【００１５】
設定受付部４６は、ナビゲーション部４４のナビゲーション処理における各種設定を行うためのユーザ入力を操作部４０を介して受け付け、設定情報として設定記憶部４８に記憶する。設定項目としては、例えば、以下のものが挙げられる。
・表示方向（ヘディングアップ／ノースアップ）
・地図テイスト（道路や建物の配色）
・ビュー（２Ｄ／３Ｄ／バードビュー）
・お気に入り登録地点
・渋滞情報（非表示／レベル１／レベル２／レベル３）
・走行軌跡（表示／非表示）
・リアビューカメラ表示（する／しない）
・リアビューカメラスケール（表示／非表示）
・ホームポジション（自宅や会社の位置）
・デフォルト縮尺
・ランチャーメニュー項目
・経路探索に関する設定（出発地、経由地、目的地）
・音声案内に関する設定
・ランドマーク表示（する／しない）
・オーディオに関する設定
・高速道路標示（表示／非表示）
・ナビキャラクターに関する設定
【００１６】
通信部５０は、携帯端末２０等の外部装置とデータ通信を行うものである。例えば、通信部５０は、ブルートゥース通信ユニットや赤外線通信ユニット等の無線通信ユニットを備えることができる。なお、通信部５０は、ＵＳＢ（Ｕｎｉｖｅｒｓａｌ  Ｓｅｒｉａｌ  Ｂｕｓ）等の有線接続により外部装置と通信するものであってもよい。本実施形態では、通信部５０は、携帯端末２０から設定情報を受信して設定記憶部４８に格納することができる。また、通信部５０は、設定記憶部４８に記憶されている設定情報を携帯端末２０に送信することができる。なお、通信部５０は、携帯端末２０との間で設定情報の送受信を行う際に、フォーマット変換等の処理を行うことも可能である。
【００１７】
携帯端末２０は、スマートフォンやタブレット等の、ユーザが携帯可能な情報処理装置である。図１に示すように、携帯端末２０は、操作部６０、表示部６２、設定受付部６４、設定記憶部６６、設定送信部６８、設定項目取得部７０、携帯ナビゲーション部７２、携帯設定取得部７４、設定受信部７６、及びスケジュール取得部７８を含んで構成される。携帯端末２０を構成する各部は、メモリやハードディスク等の記憶領域を用いたり、記憶領域に記憶されているプログラムをプロセッサが実行したり、その他各種デバイスを用いたりすることにより実現することができる。
【００１８】
操作部６０は、携帯端末２０における各種操作を受け付けるものであり、例えば、操作ボタンやタッチパネル、音声認識デバイス等により実現される。
【００１９】
表示部６２は、携帯端末２０において各種情報を表示するものであり、例えば、液晶ディスプレイや有機ＥＬ（Ｅｌｅｃｔｒｏｌｕｍｉｎｅｓｃｅｎｃｅ）ディスプレイ等により実現される。
【００２０】
設定受付部６４は、ナビゲーション装置１０におけるナビゲーション処理の設定項目に対する設定情報を操作部６０を介してユーザから受け付け、設定記憶部６６に格納する。なお、設定受付部６４が受け付ける設定情報は、ナビゲーション装置１０における設定項目の一部に対するものであってもよい。また、設定受付部６４は、ユーザ操作に基づいて、設定記憶部６６に記憶されている設定情報を変更することができる。また、設定受付部６４は、携帯端末２０自身がナビゲーション機能を有している場合に、当該ナビゲーション機能における設定情報に基づいて、ナビゲーション装置１０用の設定情報を生成することができる。また、設定受付部６４は、ユーザのスケジュール情報に基づいて、ナビゲーション装置１０用の設定情報を生成することができる。設定受付部６４の機能の詳細については後述する。
【００２１】
設定送信部６８は、設定記憶部６６に記憶されている設定情報をナビゲーション装置１０に送信することができる。設定送信部６８は、設定情報をナビゲーション装置１０に送信する際に、フォーマット変換等の処理を行うことも可能である。設定送信部６８は、例えば、ブルートゥース通信ユニットや赤外線通信ユニット等の無線通信ユニットを備えることができる。なお、設定送信部６８は、ＵＳＢ等の有線接続によりナビゲーション装置１０に設定情報を送信することとしてもよい。設定送信部６８がナビゲーション装置１０に設定情報を送信することにより、ナビゲーション装置１０では、当該設定情報に基づいてナビゲーション処理が行われることとなる。つまり、携帯端末２０からナビゲーション装置１０に設定情報が送信されることにより、携帯端末２０のユーザに合わせてナビゲーション装置１０をパーソナライズすることができる。
【００２２】
設定項目取得部７０は、設定受付部６４において設定される設定項目に関する情報を、ナビゲーションサーバ３０等の外部装置から取得することができる。ナビゲーション装置１０の機種によっては設定項目が異なることがあるため、設定項目取得部７０は、例えば、ユーザから機種に関する情報を受け付けることにより、当該機種での設定項目を示す情報をナビゲーションサーバ３０から取得することができる。なお、設定項目取得部７０は、設定項目に関する情報をナビゲーション装置１０から取得することも可能である。
【００２３】
携帯ナビゲーション部７２は、携帯端末２０において、経路情報や施設情報等のナビゲーション情報を表示部６２を介してユーザに提示するものである。例えば、携帯ナビゲーション部７２は、ナビゲーションサーバ３０と通信することにより、各種ナビゲーションを行うことができる。また、携帯ナビゲーション部７２は、ＧＰＳユニットや加速度センサ、電子コンパス等の現在位置測定ユニットを備えることができる。
【００２４】
携帯設定取得部７４は、携帯ナビゲーション部７２における設定項目に対する設定情報である携帯設定情報を取得することができる。例えば、携帯ナビゲーション部７２がナビゲーションサーバ３０と通信を行うことによってナビゲーション情報をユーザに提供する場合、ユーザごとの携帯設定情報はナビゲーションサーバ３０に記憶されていることがある。この場合、携帯設定取得部７４は、当該携帯設定情報をナビゲーションサーバ３０から取得することがでいる。なお、携帯設定取得部７４は、携帯端末２０内に記憶されている携帯設定情報を取得することとしてもよい。
【００２５】
設定受信部７６は、ナビゲーション装置１０の設定項目に対する設定情報をナビゲーション装置１０から受信し、設定記憶部６６に格納することができる。設定受信部７６は、ナビゲーション装置１０から受信した設定情報を設定記憶部６６に格納する際に、フォーマット変換等の処理を行うことも可能である。設定受信部７６は、例えば、ブルートゥース通信ユニットや赤外線通信ユニット等の無線通信ユニットを備えることができる。また、設定受信部７６は、ＵＳＢ等の有線接続によりナビゲーション装置１０から設定情報を受信することとしてもよい。なお、設定受信部７６は、無線または有線による通信ユニットを設定送信部６８と共用することができる。
【００２６】
スケジュール取得部７８は、携帯端末２０のユーザのスケジュール情報を取得する。例えば、スケジュール取得部７８は、訪問先が登録されているスケジュール情報を取得することができる。なお、スケジュール情報は、携帯端末２０内に記憶されていてもよいし、外部のサーバ上に記憶されていてもよい。
【００２７】
ナビゲーションサーバ３０は、ナビゲーションに関する処理を実行可能な情報処理装置である。図１に示すように、ナビゲーションサーバ３０は、ナビゲーション部９０、携帯設定記憶部９２、設定項目記憶部９４、及び通信部９６を含んで構成される。ナビゲーションサーバ３０を構成する各部は、メモリやハードディスク等の記憶領域を用いたり、記憶領域に記憶されているプログラムをプロセッサが実行したり、その他各種デバイスを用いたりすることにより実現することができる。
【００２８】
ナビゲーション部９０は、携帯端末２０の携帯ナビゲーション部７２と連携し、携帯端末２０のユーザに対して経路情報や施設情報を提供する。ナビゲーション部９０における設定項目に対する設定情報である携帯設定情報は、ユーザごとに携帯設定記憶部９２に記憶されている。携帯設定情報の設定項目は、例えば、ナビゲーション装置１０における設定項目と同様のものとすることができるが、両者は一致している必要はない。例えば、ナビゲーション装置１０の設定項目のみに存在する項目があってもよいし、ナビゲーション部９０の設定項目のみに存在する項目があってもよい。
【００２９】
設定項目記憶部９４は、ナビゲーション装置１０の機種ごとの設定項目を記憶しておくことができる。例えば、設定項目記憶部９４は、ナビゲーション装置１０の機種を識別する識別情報と、当該機種における設定項目とを対応づけて記憶しておくことができる。なお、識別情報は、機種を識別可能な情報であれば任意の情報とすることができる。例えば、識別情報には、機種名や型番、製造メーカー、ナビゲーション装置１０が搭載される車両のメーカーやモデル名等の情報が含まれることとすることができる。
【００３０】
通信部９６は、携帯端末２０等の外部装置とデータ通信を行うものである。例えば、通信部９６は、Ｅｔｈｅｒｎｅｔ（登録商標）通信用の通信ユニット等を備えることができる。本実施形態では、通信部９６は、携帯端末２０との間でナビゲーションに関連する様々な情報を送受信することができる。例えば、通信部９６は、携帯端末２０の設定項目取得部７０からの要求に応じて、設定項目記憶部９４に記憶されている特定の機種の設定項目を携帯端末２０に送信することができる。また、通信部９６は、携帯端末２０の携帯設定取得部７４からの要求に応じて、携帯端末２０のユーザの携帯設定情報を携帯設定記憶部９２から取得して携帯端末２０に送信することができる。
【００３１】
図２は、設定情報の登録や送信に関連する各種処理を起動するためのメニュー画面の一例を示す図である。図２に示す画面は、例えば、アプリケーションが起動された際に設定受付部６４が出力することとしてもよい。図２に示すメニュー画面では、設定登録、スケジュール連携、携帯ナビ連携、設定送信の４つの選択肢が表示されている。なお、図２に示すメニュー構成は一例であり、任意のメニュー構成を採用することができる。以下、各選択肢が選択された場合の一例について説明する。
【００３２】
図３は、設定情報を登録するための設定登録画面の一例を示す図である。図３に示す画面は、例えば、図２に示すメニュー画面において「設定登録」が選択されることに応じて、設定受付部６４が表示部６２に出力することができる。図３に示す画面では、設定受付部６４は、設定パターンを示す情報を受け付けることができる。設定パターンは、設定情報のパターンを区別するための情報である。例えば、あるユーザが自家用車と業務用車両の両方でナビゲーション装置１０を利用する場合において、自家用と業務用とでナビゲーションの設定を別のものとしたい場合、設定パターンによって区別することができる。なお、同一の車両のナビゲーション装置１０に対して複数の設定パターンが設定されることとしてもよい。
【００３３】
また、図３に示すように、設定受付部６４は、ナビゲーション装置１０の機種を示す情報を受け付けることができる。この機種を示す情報に基づいて、設定項目取得部７０は、ナビゲーションサーバ３０から、設定項目記憶部９４に記憶されている当該機種における設定項目を取得することができる。そして、設定受付部６４は、設定項目取得部７０により取得された設定項目を設定するための画面を出力することができる。なお、設定受付部６４は、ナビゲーション装置１０の機種を示す情報をユーザから受け付けないこととしてもよい。例えば、設定受付部６４は、あらかじめ定められた設定項目を用いることとしてもよい。また、設定項目取得部７０がナビゲーション装置１０から設定項目を取得することとしてもよい。また、設定受付部６４は、設定記憶部６６に記憶されている設定情報の設定項目を用いることとしてもよい。
【００３４】
設定項目の例は前述したとおりであるが、図３においては、一例として、表示方向、ビュー、渋滞情報、お気に入り登録地点の設定項目を設定するための画面が表示されている。なお、いくつかの選択肢の中から選択する設定項目については、選択肢の情報も設定項目の情報に含まれている。また、設定受付部６４は、例えばお気に入り登録地点をユーザが登録するために、地図アプリケーションと連携することも可能である。図３に示す画面において登録ボタンが押下されると、設定受付部６４は、入力された設定情報を設定パターンと対応づけて設定記憶部６６に格納する。
【００３５】
図４は、スケジュール情報を設定情報に連携させるためのスケジュール連携画面の一例を示す図である。図４に示す画面は、例えば、図２に示すメニュー画面において「スケジュール連携」が選択されることに応じて、設定受付部６４が表示部６２に出力することができる。設定受付部６４は、スケジュール取得部７８により取得されたスケジュール情報に基づいて、地点に関する設定項目に対して、スケジュール情報に含まれる訪問先を示す設定情報を生成することができる。図４に示す例では、設定受付部６４は、当日のスケジュールに含まれる訪問先を、予定時刻とともに画面に出力することができる。そして、設定受付部６４は、各訪問地を経由地または目的地とするためのユーザ入力を受け付けることができる。設定受付部６４は、経由地についてはその順番についても受け付けることができる。図４に示す画面において登録ボタンが押下されると、設定受付部６４は、選択された訪問先を経由地または目的地とする設定情報を生成し、設定記憶部６６に格納する。なお、設定受付部６４は、訪問先を出発地やお気に入り登録地点とする設定情報を生成可能であってもよい。
【００３６】
図５は、ナビゲーション装置１０の設定を、携帯端末２０の携帯ナビゲーション部７２における設定に連携させるための携帯ナビ連携画面の一例を示す図である。図５に示す画面は、例えば、図２に示すメニュー画面において「携帯ナビ連携」が選択されることに応じて、設定受付部６４が表示部６２に出力することができる。携帯設定取得部７４は、例えば、ナビゲーションサーバ３０の携帯設定記憶部９２に記憶されている携帯設定情報を取得する。設定受付部６４は、図５に示すように、ナビゲーション装置１０における設定項目のうち、携帯ナビゲーション部７２における設定項目と共通する設定項目に対する設定情報を、携帯設定情報に合わせるかどうかを選択するための画面を出力することができる。図５に示す画面において登録ボタンが押下されると、設定受付部６４は、選択された設定項目の携帯設定情報からナビゲーション装置１０用の設定情報を生成し、設定記憶部６６に格納する。なお、ナビゲーション装置１０における設定項目のうち、携帯ナビゲーション部７２における設定項目に含まれないものの設定情報については、設定受付部６４は、例えば図３に示した画面を介して受け付けることができる。
【００３７】
図６は、設定情報をナビゲーション装置１０に送信するための設定送信画面の一例を示す図である。図６に示す画面は、例えば、図２に示すメニュー画面において「設定送信」が選択されることに応じて、設定送信部６８が表示部６２に出力することができる。また、設定送信部６８は、例えば、ナビゲーション装置１０と無線または有線で接続されたことを検出した際に、図６に示す画面を出力することとしてもよい。図６に示す画面では、設定パターンを選択可能となっている。設定送信部６８は、選択された設定パターンの設定情報を設定記憶部６６から読み出し、設定情報の内容を表示することができる。図６に示す画面において送信ボタンが押下されると、設定送信部６８は、設定情報をナビゲーション装置１０に送信する。
【００３８】
図７は、未設定の設定項目を登録するための未設定登録画面の一例を示す図である。ナビゲーション装置１０の機種によっては設定項目が異なることがある。また、設定項目は同一であっても選択肢が異なることがある。例えば、自家用車のナビゲーション装置１０の設定項目に対する設定情報を携帯端末２０に記憶しておき、その設定情報をレンタカーのナビゲーション装置１０に送信した場合、未設定の設定項目が存在する場合や選択肢が異なる場合がある。設定送信部６８は、例えば、ナビゲーション装置１０に設定情報を送信する際に、未設定の設定項目や選択肢が異なる設定項目に関する情報をナビゲーション装置１０から取得することができる。この情報が取得されると、設定受付部６４は、図７に示すように、未設定の設定項目や選択肢が異なる設定項目に対する設定情報を受け付けるための画面を出力することができる。図７に示す画面において登録ボタンが押下されると、設定受付部６４は、入力された設定情報を設定記憶部６６に記憶することができる。また、図７に示す画面において送信ボタンが押下されると、設定送信部６８は、追加登録された設定情報をナビゲーション装置１０に送信することができる。
【００３９】
図８は、設定情報の登録・送信処理の一例を示すフローチャートである。設定受付部６４は、例えば図２に示したメニュー画面を出力する（Ｓ８０１）。図２に示したメニュー画面では、設定登録、スケジュール連携、携帯ナビ連携、及び設定送信の４つの処理を選択可能となっている。
【００４０】
図２に示したメニュー画面において「設定登録」が選択されると、設定受付部６４は、例えば図３に示した設定登録画面を出力し、設定パターンを受け付ける（Ｓ８１１）。ここで入力された設定パターンに対する設定情報が設定記憶部６６にすでに記憶されている場合、設定受付部６４はこの設定情報の内容を設定登録画面に表示することができる。設定項目取得部７０は、設定登録画面において機種情報を受け付けると（Ｓ８１２）、当該機種における設定項目の情報をナビゲーションサーバ３０から取得することができる（Ｓ８１３）。設定受付部６４は、設定登録画面においてユーザから設定情報の入力を受け付け（Ｓ８１４）、入力された設定情報を設定パターンと対応づけて設定記憶部６６に登録する（Ｓ８１５）。
【００４１】
図２に示したメニュー画面において「スケジュール連携」が選択されると、設定受付部６４は、例えば図４に示したスケジュール連携画面を出力する。この画面が表示されると、スケジュール取得部７８は、例えばユーザの当日分のスケジュール情報を取得する（Ｓ８２１）。設定受付部６４は、取得されたスケジュール情報において訪問先として登録されている地点を、予定時刻とともにスケジュール連携画面に表示することができる。そして、設定受付部６４は、各訪問先を経由地または目的地に設定するための入力を受け付ける（Ｓ８２２）。設定受付部６４は、ユーザ入力に応じて設定情報を生成し（Ｓ８２３）、設定記憶部６６に登録する（Ｓ８２４）。
【００４２】
図２に示したメニュー画面において「携帯ナビ連携」が選択されると、設定受付部６４は、例えば図５に示した携帯ナビ連携画面を出力する。この画面が表示されると、携帯設定取得部７４は、例えば携帯ナビゲーション部７２における設定項目に対する携帯設定情報をナビゲーションサーバ３０から取得する（Ｓ８３１）。設定受付部６４は、取得された携帯設定情報の設定項目のうち、ナビゲーション装置１０の設定項目に含まれるものについて、携帯設定情報の内容を携帯ナビ連携画面に表示することができる。そして、携帯設定取得部７４は、携帯設定情報を設定情報に反映させるためのユーザ入力を受け付ける（Ｓ８３２）。設定受付部６４は、ユーザ入力に応じて設定情報を生成し（Ｓ８３３）、設定記憶部６６に登録する（Ｓ８３４）。
【００４３】
図２に示したメニュー画面において「設定送信」が選択されると、設定送信部６８は、例えば図６に示した設定送信画面を出力する。設定送信部６８は、設定情報の送信対象とする設定パターンの選択を受け付ける（Ｓ８４１）。設定パターンが選択されると、設定送信部６８は、選択された設定パターンに対応する設定情報を設定記憶部６６から読み出し、設定情報の内容を設定送信画面に表示する（Ｓ８４２）。そして、設定送信部６８は、ユーザからの指示に応じて設定情報をナビゲーション装置１０に送信する（Ｓ８４３）。
【００４４】
設定送信部６８は、設定情報の送信に応じて、ナビゲーション装置１０から未設定項目に関する情報を受信することができる（Ｓ８４４）。この場合、設定受付部６４は、例えば図７に示した未設定登録画面を出力することができる。設定受付部６４は、未設定項目の設定情報を受け付け（Ｓ８４５）、設定記憶部６６に登録することができる（Ｓ８４６）。そして、設定送信部６８は、未設定項目に対して設定された設定情報をナビゲーション装置１０に送信することができる（Ｓ８４７）。
【００４５】
以上、本実施形態について説明した。本実施形態によれば、携帯端末２０は、ナビゲーション装置１０における設定項目に対する設定情報をユーザから受け付ける設定受付部６４と、受け付けられた設定情報を記憶する設定記憶部６６と、設定記憶部６６に記憶されている設定情報をナビゲーション装置１０に送信する設定送信部６８とを備える。これにより、各ユーザは、ナビゲーション装置１０に対する設定情報を自身の携帯端末２０において生成して保持しておき、ナビゲーション装置１０の利用時に、その設定情報をナビゲーション装置１０に反映させることができる。したがって、ナビゲーション装置１０の設定をユーザごとに容易に変更することが可能となる。
【００４６】
また、本実施形態では、設定項目取得部７０が、ナビゲーション装置１０の機種に応じた設定項目を取得することが可能である。そのため、ナビゲーション装置１０の機種に応じた設定を携帯端末２０において行うことができる。
【００４７】
また、本実施形態では、携帯端末２０自身がナビゲーション機能を有している場合、その設定をナビゲーション装置１０の設定に連携させることができる。これにより、携帯端末２０における設定作業を容易にすることができる。
【００４８】
また、本実施形態では、携帯端末２０において、設定情報を設定パターンと対応づけて記憶しておくことができる。これにより、ナビゲーション装置１０を利用する状況に応じて、ナビゲーション装置１０の設定を容易に切り替えることができる。
【００４９】
また、本実施形態では、スケジュール情報を設定情報に連携させることが可能である。これにより、携帯端末２０における設定作業を容易にすることができる。
【００５０】
なお、本実施形態は、本発明の理解を容易にするためのものであり、本発明を限定して解釈するためのものではない。本発明は、その趣旨を逸脱することなく、変更／改良され得るととともに、本発明にはその等価物も含まれる。
【符号の説明】
【００５１】
１０  ナビゲーション装置
２０  携帯端末
３０  ナビゲーションサーバ
４０  操作部
４２  表示部
４４  ナビゲーション部
４６  設定受付部
４８  設定記憶部
５０  通信部
６０  操作部
６２  表示部
６４  設定受付部
６６  設定記憶部
６８  設定送信部
７０  設定項目取得部
７２  携帯ナビゲーション部
７４  携帯設定取得部
７６  設定受信部
７８  スケジュール取得部
９０  ナビゲーション部
９２  携帯設定記憶部
９４  設定項目記憶部
９６  通信部
【図１】
0005756775.tif 000002
【図２】
0005756775.tif 000003
【図３】
0005756775.tif 000004
【図４】
0005756775.tif 000005
【図５】
0005756775.tif 000006
【図６】
0005756775.tif 000007
【図７】
0005756775.tif 000008
【図８】
0005756775.tif 000009